(57)【要約】【課題】  白色表示を行うことができ、表示色の制限を少なくして表示性能を向上させることができる可変表示構造を提供すること。【解決手段】  紫外線光源５と、色光源３の波長のみを透過させる第１印刷部分１０ａと、色光源４の波長のみを透過させる第２印刷部分１０ｂと、第１表示１２と第２表示１３の重複する部分で、色光源３及び色光源４の光を透過する第３印刷部１０ｃと、色光源３の波長と色光源の波長を透過させない背景印刷部分１０ｄと、シート１０ｅの第１印刷部分１０ａと第２印刷部分１０ｂ、及び第３印刷部分１０ｃ、背景印刷部分１０ｄよりも表示側に設けられた、紫外線光を受けると可視光で発光するUV印刷部分１０ｇとを備えた。【選択図】        図１
2007164002.tif 000002
【特許請求の範囲】
【請求項１】
透光性のあるシートに波長の異なる第１光源の光と第２光源、及び第３光源の光を切り換えて投光させ、
第１表示と第２表示、及び第３表示を行わせる可変表示構造であって、
第３光源として設けた紫外線光源と、
前記第１光源の波長のみを透過させる第１透過部分と、
前記第２光源の波長のみを透過させる第２透過部分と、
前記第１表示と前記第２表示の重複する部分で、第１光源及び第２光源の光を透過する第３透過部分と、
前記第１光源の波長と第２光源の波長を透過させない第４透過部分と、
前記シートの前記第１透過部分と前記第２透過部分、及び第３透過部分、第４透過部よりも表示側に設けられた、紫外線光を受けると可視光で発光する紫外線層部分と、
を備え、
第１表示と第２表示及び第３表示を行わせる、
ことを特徴とする可変表示構造。
【請求項２】
請求項１に記載の可変表示構造において、
前記シートの前記第１透過部分と前記第２透過部分、及び第３透過部分、第４透過部分と、前記紫外線層部分の間に、通過する光の輝度を抑制するスモーク部分を設けた、
ことを特徴とする可変表示構造。
【請求項３】
請求項１または請求項２に記載の可変表示構造において、
前記第１透過部分と前記第２透過部分、前記第３透過部分、前記第４透過部分、前記紫外線層部分は、印刷で形成する、
ことを特徴とする可変表示構造。
【請求項４】
請求項１〜請求項３に記載の可変表示構造において、
紫外線の通過を遮断する紫外線非通過層を最も表示側に設けた、
ことを特徴とする可変表示構造。
【発明の詳細な説明】
【技術分野】
【０００１】
本発明は、同一表示面に異なる表示を切り換えて表示させる可変表示構造の技術分野に属する。
【背景技術】
【０００２】
従来においては、第１波長領域の青色光を通過させる第１領域、第２波長領域の緑色光を通過させる第２領域、背景を形成するその他の領域を箔シートにプリント印刷し、後方から、青色光の第１光源と緑色光の第２光源で照明している（例えば、特許文献１参照。）。
【特許文献１】特開２００１−１００６７９号公報（第２−８頁、全図）
【発明の開示】
【発明が解決しようとする課題】
【０００３】
しかしながら、従来にあっては、表示がない状態に対して、２つの表示までしか行うことができず、表示性能が充分ではなかった。
【０００４】
本発明は、上記問題点に着目してなされたもので、その目的とするところは、表示がない状態に対して、３つの表示を切り替えて行うことができ、表示性能を向上させることができる可変表示構造を提供することにある。
【課題を解決するための手段】
【０００５】
上記目的を達成するため、本発明では、透光性のあるシートに波長の異なる第１光源の光と第２光源、及び第３光源の光を切り換えて投光させ、第１表示と第２表示、及び第３表示を行わせる可変表示構造であって、第３光源として設けた紫外線光源と、前記第１光源の波長のみを透過させる第１透過部分と、前記第２光源の波長のみを透過させる第２透過部分と、前記第１表示と前記第２表示の重複する部分で、第１光源及び第２光源の光を透過する第３透過部分と、前記第１光源の波長と第２光源の波長を透過させない第４透過部分と、前記シートの前記第１透過部分と前記第２透過部分、及び第３透過部分、第４透過部分よりも表示側に設けられた、紫外線光を受けると可視光で発光する紫外線層部分と、を備え、第１表示と第２表示及び第３表示を行わせる、ことを特徴とする。
【発明の効果】
【０００６】
よって、本発明にあっては、３つの表示を行うことができ、表示性能を向上させることができる。
【発明を実施するための最良の形態】
【０００７】
以下、本発明の請求項１〜３に係る可変表示構造を実現する実施の形態を、実施例１に基づいて説明する。
【実施例１】
【０００８】
まず、構成を説明する。
図１は実施例１の可変表示構造を示す断面図である。図２は実施例１の可変表示構造のカラーフィルタの正面図である。図３は図２のＡ−Ａ断面図である。図４は実施例１の第１表示と第２表示に関する部分のカラーフィルタの正面図である。図５は実施例１の可変表示構造の第１表示と第２表示及び第３表示を示す説明図である。
実施例１は可変表示構造を押して入力を行うスイッチに用いている。
【０００９】
スイッチ１は、まず、矩形枠状のスイッチフィニッシャ２の内部に矩形枠状のガイドハウジング７を設ける（図１参照）。
ガイドハウジング７には、矩形枠状のスイッチフィニッシャ２の開口面から開口面へ向かう方向、つまり、前後面に摺動可能なレール部分を設ける。
スイッチフィニッシャ２及びガイドハウジング７の背面側には、開口を塞ぐ板状の基板６を設ける。
基板６の前面側、つまりスイッチフィニッシャ２の内部側には、波長が約６３０nmをピークとする赤色の色光源３と、波長が約４７０nmをピークとする色光源４と、波長が約３６０nmをピークとし、紫外線を出力する紫外線光源５、押されることによりON/OFFの操作入力を行うタクトスイッチ９を設ける。
【００１０】
色光源３及び色光源４、紫外線光源５は、LEDがコスト抑制、メンテナンス性から好ましいが、別のものであってもよい。色光源３、色光源４は他の色であってもよい。
次に内外で２重の枠部分を有するスライダ８を設ける。スライダ８の内部の枠部分は、色光源３及び色光源４、紫外線光源５側に行くに従って角錐状に内側が狭くなる形状にする。また、スライダ８の内側の枠形状部分は後方に延長し、色光源３及び色光源４、紫外線光源５の側方を覆うようにする。
さらに、スライダ８の内側の枠形状部分の下方傾斜面には、下方に突出する形状の係合部８ａを設ける。係合部８ａの位置は、下方に移動するとタクトスイッチ９と係合する位置にする。
スライダ８の内側枠部分の前面部分には、カラーフィルタ１０を設ける。
カラーフィルタ１０の前面部分には、紫外線を遮断するレンズ１１（紫外線非通過層に相当する）を設ける。紫外線の遮断は印刷でも可能である。
【００１１】
ここで、レンズ１１、カラーフィルタ１０を取り付けたスライダ８を、ガイドハウジング７のレール部分に係合させて前後に摺動自在にする。
これにより、スライダ８をタクトスイッチ９に向かって押すと、スライダ８が摺動して傾斜面から下方に突出する形状の係合部８ａがタクトスイッチ９を押す構造にする。
また、押された後に、自由状態にすると、タクトスイッチの反力で戻る構造にする。
【００１２】
カラーフィルタ１０は、図２、図３に示すように、透明なシート１０ｅ前面に、第１印刷部分１０ａ、第２印刷部分１０ｂ、第３印刷部分１０ｃ、背景印刷部分１０ｄを設ける。さらに、その上にスモーク印刷部分１０ｆ、その上にUV印刷部分１０ｇを設ける構成である。
ここで、第１表示１２を図５(a)に示すように文字の「Ａ」、第２表示１３を図５(b)に示すように文字の「Ｅ」、第３表示１４を図５(c)に示すように文字の「Ｉ」とする。
第１印刷部分１０ａは、第１表示１２である「Ａ」の第２表示１３「Ｅ」と重ならない図２，図４の部分である。この部分は、赤色光を通過させる赤色印刷部分である。この赤色印刷部分の波長に対する透過率の特性は、図６の線２２で示す特性となる。
【００１３】
第２印刷部分１０ｂは、第２表示１３である「Ｅ」の第１表示１２「Ａ」と重ならない図２，図４の部分である。この部分は、青色光を通過させる青色印刷部分である。この青色印刷部分の波長に対する透過率の特性は、図６の線２１で示す特性となる。
第３印刷部分１０ｃは、第１表示１２の「Ａ」と第２表示１３の「Ｅ」とが重なった部分である。この部分は、赤色光及び青色光の両方を通過させる部分である。この印刷部分の波長に対する透過率の特性は、図６の線２３で示す特性となる。
【００１４】
背景印刷部分１０ｄは、図４において、第１印刷部分１０ａ、第２印刷部分１０ｂ、第３印刷部分１０ｃ以外の表示部分である。この部分は、色光源３、色光源４の光を吸収する。
なお、上記説明した各印刷部分１０ａ〜１０ｄは、紫外線を通過させる印刷部分とする。
【００１５】
次に、これら各印刷部分１０ａ〜１０ｄの表示側には図３に示すように、スモーク印刷部分１０ｆを設ける。スモーク印刷部分１０ｆは、全体的に透光性を低くしたものである。
さらに、スモーク印刷部分１０ｆの表示側には、UV印刷部分１０ｇを設ける。
UV印刷部分１０ｇは、第３表示である「Ｉ」の部分である。この印刷部分の波長に対する透過率の特性は、図６の線２７で示す特性となる。つまり、可視光をそのまま通過させ、UV光が照射されると、可視光である白色に発光する部分である（図６の線２７のように示すのは、可視光に対しそのまま通過、紫外線に対し白色の発光となるためである）。
【００１６】
次に作用を説明する。
[表示作用]
(a)非表示状態
色光源３、色光源４、紫外線光源５のどちらも点灯しない状態では、レンズ１１、スモーク印刷部分１０ｆにより外から内側への入光も、反射光も輝度と紫外線を抑制されるため、表示構造が外部から見えることも、表示が見えることもない（図７参照）。
【００１７】
(b)第１表示
実施例１において、第１表示１２を表示させるには、色光源３を点灯させ、色光源４、紫外線光源５を消灯させる。
まず第１印刷部分１０ａでは、赤色光が赤色印刷部分において、図６の線２４と線２２の関係となり、赤色光が通過し赤色の表示となる。
次に第２印刷部分１０ｂでは、図６の線２４に示す特性の赤色光に対して、青色印刷部分が図６の線２１の関係にあるため、赤色光は通過せず、表示に寄与しない部分となる。
【００１８】
次に第３印刷部分１０ｃでは、赤色光に対して、図６の線２４と線２３の関係となり、赤色光が通過し赤色の表示となる。
背景印刷部分１０ｄは、赤色光を通過させず、黒色の表示となる。
スモーク印刷部分１０ｆは、通過する可視光全体の輝度を低くして通過させる。
UV印刷部分１０ｇは、これら印刷部分の表示側に位置するが、可視光をそのまま通過させる。
レンズ１１は、通過する可視光全体の輝度を低くして通過させる。
これにより、第１表示１２、つまり図５(a)に示す「Ａ」が表示されることになる（図８参照）。
【００１９】
(c)第２表示
実施例１において、第２表示１３を表示させるには、色光源４を点灯させ、色光源３、紫外線光源５を消灯させる。
まず第１印刷部分１０ａでは、青色光が赤色印刷部分において、図６の線２５と線２２の関係となり、青色光が通過せず表示に寄与しない部分となる。
次に第２印刷部分１０ｂでは、図６の線２５に示す特性の青色光に対して、青色印刷部分が図６の線２１の関係にあるため、青色光は通過し、青色の表示部分となる。
【００２０】
次に第３印刷部分１０ｃでは、赤色光に対して、図６の線２５と線２３の関係となり、青色光が通過し青色の表示となる。
背景印刷部分１０ｄは、青色光を通過させず、黒色の表示となる。
スモーク印刷部分１０ｆは、通過する可視光全体の輝度を低くして通過させる。
UV印刷部分１０ｇは、これら印刷部分の表示側に位置するが、可視光をそのまま通過させる。
レンズ１１は、通過する可視光全体の輝度を低くして通過させる。
これにより、第２表示１３、つまり図５(b)に示す「Ｅ」が表示されることになる（図９参照）。
【００２１】
(d)第３表示
実施例１において、第３表示１４を表示させるには、紫外線光源５を点灯させ、色光源３，４を消灯させる。
まず第１印刷部分１０ａでは、紫外線光（UV光）が赤色印刷部分において、図６の線２６と線２２の関係となり、紫外線光が通過する。しかしながら、紫外線光が不可視光であるため、表示に寄与しない部分となる。
次に第２印刷部分１０ｂでは、図６の線２６に示す特性の紫外線光に対して、青色印刷部分が図６の線２１の関係にあるため、紫外線光は通過する。しかしながら、紫外線光が不可視光であるため、表示に寄与しない部分となる。
【００２２】
次に第３印刷部分１０ｃでは、紫外線光に対して、図６の線２６と線２３の関係となり、紫外線光は通過する。しかしながら、紫外線光が不可視光であるため、表示に寄与しない部分となる。
背景印刷部分１０ｄにおいても、紫外線光は通過する。しかしながら、紫外線光が不可視光であるため、表示に寄与しない部分となる。
スモーク印刷部分１０ｆは、通過する可視光全体の輝度を低くして通過させる。しかしながら、表示には寄与しない。
UV印刷部分１０ｇは、紫外線光に対して、図６の線２６と線２７の関係となり、紫外線光が照射されると、可視光である白色に発光する。
レンズ１１は、紫外線光を遮断するが、白色に発光した光は可視光であるため、表示に影響を与えない。
これにより、第３表示１４、つまり図５(c)に示す「Ｉ」が表示されることになる（図１０参照）。
【００２３】
[スイッチ作用]
実施例１では、操作する人がレンズ１１を押すと、一体化したスライダ８が摺動し、スライダ８の一部８ａがタクトスイッチ５を押す。
スイッチ１としては、基板６に設けられる図示しない回路によって、どの表示状態において、タクトスイッチ９に入力があったかを判断し、３つの操作入力として使用する。これにより、１つのスイッチにおいて、異なるモードでの操作入力が可能となる。
さらに、その異なるモードでの操作入力において、モードの状態に変化がある場合には、それを色で表示することが可能となる。よって、操作者は、そのモードの状態を、インジケータ等を設けることなく、知ることができる。
このように、１つの位置に３つの異なる表示を行えることは、非常に表示性能が向上したスイッチ１にできることになる。
【００２４】
[スモーク印刷部分の作用]
実施例１では、UV印刷部分１０ｇと他の印刷部分との間にスモーク印刷部分１０ｆを設けるようにしている。
UV印刷部分１０ｇが可視光である白色で発光する際には、UV印刷部分１０ｇの発光、及び外光の反射光を、輝度を低くして通過させる。
これによって、その発光部以外の全体が暗い背景色となるようにする。
また、何も点灯していない状態で、スモーク印刷部分より下のフィルタ層のパターンが見えないようにする。
【００２５】
[レンズのUVカット効果]
レンズ１１には、紫外線光を遮断する機能を持たせている。そのため、何も表示させない状態において、紫外線を含む外光によりUV印刷部分１０ｇが発光して表示となることを防ぐことができる。また、紫外線光源５の紫外線光を外部に透過させないようにすることができる。
【００２６】
[第３表示の色が任意となる作用]
実施例１では、スモーク印刷部分１０ｆが、UV印刷部分１０ｇの発光時に背景全体を暗くする作用を有することを説明した。このスモーク印刷部分１０ｆにより仕切られた各印刷部分は、実施例１と異なる色の選択を行っても、不可視光である紫外線光をそのまま通過させる。
またさらに、UV印刷部分１０ｇは、可視光をそのまま通過させ、その場合には表示に寄与しない。
【００２７】
以上のことを備えることによって、UV印刷部分１０ｇは、紫外線光が照射された際の発光時に任意の色に発光させる特性のものを使用することができる。
図１１には、実施例１の可変表示構造のUV印刷部分の特性と紫外線光源の波長との関係を示す。このように、紫外線光との関係は、図６と同じく線２６と線２７の関係となるが、可視光で発光している場合の特性が、図１１に示す線２８〜３０のようになる。
これにより、第３表示１４の発光色は、任意の色にすることができ、その色、表示形状は、スモーク印刷部分１０ｆで仕切られた各印刷部分の色、形状に左右されない。
【００２８】
よって、図１２に示すように、第３表示１４を第１表示１２及び第２表示１３に対して、白色表示（図１２(a)参照）、同色表示（図１２(b)参照）、異色表示（図１２(c)参照）とすることができる。
例えば、白色表示では、コントラストの強さから、非常に気がつきやすい表示にすることができる。
【００２９】
また、同色表示では、スイッチ作用で説明した異なるモードを、３つの表示による並列した３つのモードではなく、２つのモードで、かつその内の１つのモードをさらに２つのモードにする階層分けしたような用い方を行なうことができ、より利用の幅を広くすることができる。
【００３０】
次に効果を説明する。実施例１の可変表示構造にあっては、下記に列挙する効果を得ることができる。
【００３１】
(1)透光性のあるシート１０ｅに波長の異なる色光源３の光と色光源４、及び紫外線光源５の光を切り換えて投光させ、第１表示１２と第２表示１３、及び第３表示１４を行わせる可変表示構造であって、紫外線光源５と、色光源３の波長のみを透過させる第１印刷部分１０ａと、色光源４の波長のみを透過させる第２印刷部分１０ｂと、第１表示１２と第２表示１３の重複する部分で、色光源３及び色光源４の光を透過する第３印刷部分１０ｃと、色光源３の波長と色光源の波長を透過させない背景印刷部分１０ｄと、シート１０ｅの第１印刷部分１０ａと第２印刷部分１０ｂ、及び第３印刷部分１０ｃ、背景印刷部分１０ｄよりも表示側に設けられた、紫外線光を受けると可視光で発光するUV印刷部分１０ｇとを備え、第１表示１２と第２表示１３及び第３表示１４を行わせるため、３つの表示を切り替えて行うことができ、表示性能を向上させることができる。
また、UV印刷部分１０ｇは、紫外線光を受けると所定色の可視光で発光するものであるため、第３の表示を第１，第２に対して異色表示、又は同色表示、白色表示させることができ、見やすく、気づきやすいコントラストの強い白い表示ができ、また、同じ色で違う表示もでき、表示の幅を非常に広げて利便性を高めることができる。
【００３２】
(2)シート１０ｅの第１印刷部分１０ａと第２印刷部分１０ｂ、第３印刷部分１０ｃ、背景印刷部分１０ｄと、UV印刷部分１０ｇの間に、通過する光の輝度を抑制するスモーク印刷部分１０ｆを設けたため、外光により表示構造の意匠が見えるのを防ぐことができ、また、UV印刷部分１０ｇによる表示の際に、他の表示が影響することが防ぐことができる。
【００３３】
(3)第１印刷部分１０ａと第２印刷部分１０ｂ、第３印刷部分１０ｃ、背景印刷部分１０ｄ、UV印刷部分１０ｇは印刷で形成するため、
(4)紫外線の通過を遮断し、且つ表示を大きくするレンズ１１を最も表示側に設けたため、表示を大きく見せることができるとともに、紫外線の通過を遮断するために、内部から外部への紫外線を遮断し、且つ外部からの紫外線によりUV印刷部分１０ｇが見えるようなことがないようにして、表示性能を向上させることができる。
【００３４】
（応用例）
実施例１の可変表示構造の応用例について、以下に説明する。
図１３は、実施例１の可変表示構造によりオーディオ表示を行う応用例を示す説明図である。
例えば、オーディオ表示として、「ＣＤ」、「ＴＵＮＥ」、「ＤＶＤ」、また、「ＴＵＮＥ」の下の階層となる「ＦＭ」、「ＡＭ」を表示させる場合に、図１３に示すような３通りの表示を行うことができる。
【００３５】
この３通りの表示は白色表示、同色表示、異色表示である。
（白色表示）
この場合には、青色で「ＣＤ」を表示し、赤色で「ＴＵＮＥ」、白色で「ＤＶＤ」が、同じ位置で場合分けされて表示される（図１３(a)参照）。
例えば、ＤＶＤは映像が加わるため、少し他と異なる機能があることを示すよう白色表示を行ってもよい。
【００３６】
（同色表示）
この場合には、青色で「ＣＤ」を表示し、赤色で、「ＦＭ」、「ＡＭ」を表示させる（図１３(b)参照）。
例えば「ＦＭ」と「ＡＭ」のように、「ＴＵＮＥ」の下の同じ階層であり、または似た機能を持つ表示である場合に、このように同じ色で表示を行う（図１３(b)参照）。このような場合には、同じ色のほうがわかりやすい表示となる。
【００３７】
（異色表示）
この場合では、青色で「ＣＤ」を表示し、赤色で「ＴＵＮＥ」を表示し、黄色で「ＭＤ」を表示する。
異なる３種類の機能の切り替えであるので、赤・青・黄というバランスの良い色にて切り替えを行うようにしている。
【００３８】
このように、使用する表示の内容に応じて、よりその表示内容がわかりやすいように、白色表示、同色表示、異色表示を用いればよい。実施例１は、このように応用できる表示性能が向上した可変表示構造である。
【００３９】
以上、本発明の可変表示構造を実施例１に基づき説明してきたが、具体的な構成については、これらの実施例に限られるものではなく、特許請求の範囲の各請求項に係る発明の要旨を逸脱しない限り、設計の変更や追加等は許容される。
第１表示、第２表示の色は他の色であってもよい。
シートへの各印刷は、シルク印刷、凸版印刷、インクジェット印刷、熱転写印刷があり、いずれの印刷によるものでもよい。また、他の印刷によるものであってもよい。
UV印刷部分１０ｇは、UVシートであってもよい。
【産業上の利用可能性】
【００４０】
本願の可変表示構造は、スイッチ等のように、簡易的な表示が必要な部位への利用は容易である。
【図面の簡単な説明】
【００４１】
【図１】実施例１の可変表示構造を示す断面図である。
【図２】実施例１の可変表示構造のカラーフィルタの正面図である。
【図３】図２のＡ−Ａ断面図である。
【図４】実施例１の第１表示と第２表示に関する部分のカラーフィルタの正面図である。
【図５】実施例１の可変表示構造の第１表示と第２表示及び第３表示を示す説明図である。
【図６】実施例１の可変表示構造の印刷部分の特性と各光源の波長との関係を示す説明図である。
【図７】実施例１の可変表示構造の非表示状態の説明図である。
【図８】実施例１の可変表示構造の第１表示を表示した状態の説明図である。
【図９】実施例１の可変表示構造の第２表示を表示した状態の説明図である。
【図１０】実施例１の可変表示構造の第３表示を表示した状態の説明図である。
【図１１】実施例１の可変表示構造のUV印刷部分の特性と紫外線光源の波長との関係を示す説明図である。
【図１２】実施例１の可変表示構造における白色表示、同色表示、異色表示の例を示す説明図である。
【図１３】実施例１の可変表示構造の応用例を示す説明図である。
【符号の説明】
【００４２】
１  スイッチ
２  スイッチフィニッシャ
３  色光源
４  色光源
５  紫外線光源
６  基板
７  ガイドハウジング
８  スライダ
８ａ  係合部
９  タクトスイッチ
１０  カラーフィルタ
１０ａ  第１印刷部分
１０ｂ  第２印刷部分
１０ｃ  第３印刷部分
１０ｄ  背景印刷部分
１０ｅ  シート
１０ｆ  スモーク印刷部分
１０ｇ  UV印刷部分
１１  レンズ
１２  第１表示
１３  第２表示
１４  第３表示
２１〜３０  線
【図１】
2007164002.tif 000003
【図２】
2007164002.tif 000004
【図３】
2007164002.tif 000005
【図４】
2007164002.tif 000006
【図５】
2007164002.tif 000007
【図６】
2007164002.tif 000008
【図７】
2007164002.tif 000009
【図８】
2007164002.tif 000010
【図９】
2007164002.tif 000011
【図１０】
2007164002.tif 000012
【図１１】
2007164002.tif 000013
【図１２】
2007164002.tif 000014
【図１３】
2007164002.tif 000015